(57)【要約】【課題】  多種の原稿サイズを検知でき、かつ、誤検知の確率が少ない画像読み取り装置を提供すること。【解決手段】  本発明は、複数のグループに分類されたサイズ検知条件を記憶した条件記憶手段と、複数のサイズ検知条件を含むサイズ検知テーブルを記憶するテーブル記憶手段と、プラテンガラスと、プラテンガラスのうち原稿が載置されている領域を検知する領域検知手段と、サイズ検知テーブルに含まれるサイズ検知条件のうち、原稿が載置されていると検知された領域が満足するサイズ検知条件を特定するサイズ検知手段と、複数のグループの各々を示す情報を表示するグループ表示手段と、グループ表示手段に表示された情報から１または複数のグループを選択するグループ選択手段と、選択されたグループに属するサイズ検知条件が含まれるようにサイズ検知テーブルの内容を更新する更新手段とを有する画像読み取り装置を提供する。【選択図】      図１
2007088566.tif 000002
【特許請求の範囲】
【請求項１】
少なくとも一部が複数のグループに分類されたサイズ検知条件を記憶した条件記憶手段と、
前記条件記憶手段に記憶されたサイズ検知条件のうち複数のサイズ検知条件を含むサイズ検知テーブルを記憶するテーブル記憶手段と、
原稿を載置するためのプラテンガラスと、
前記プラテンガラスのうち、原稿が載置されている領域を検知する領域検知手段と、
前記テーブル記憶手段に記憶されたサイズ検知テーブルに含まれるサイズ検知条件のうち、前記領域検知手段により原稿が載置されていると検知された領域が満足するサイズ検知条件を特定するサイズ検知手段と、
前記条件記憶手段に記憶された複数のグループの各々を示す情報を表示するグループ表示手段と、
前記グループ表示手段に表示された情報から、１または複数のグループを選択するグループ選択手段と、
前記グループ選択手段により選択されたグループに属するサイズ検知条件が含まれるように、前記テーブル記憶手段に記憶されたサイズ検知テーブルの内容を更新するテーブル更新手段と
を有する画像読み取り装置。
【請求項２】
前記グループ選択手段により選択された１または複数のグループに属さないサイズ検知条件を示す情報を表示する追加表示手段と、
前記追加表示手段に表示された情報から、１または複数のサイズ検知条件を選択する追加選択手段と
をさらに有し、
前記テーブル更新手段が、前記グループ選択手段により選択されたグループに属するサイズ検知条件および前記追加選択手段により選択されたサイズ検知条件が含まれるように、前記テーブル記憶手段に記憶されたサイズ検知テーブルの内容を更新する
ことを特徴とする請求項１に記載の画像読み取り装置。
【請求項３】
複数のサイズ検知条件を記憶した条件記憶手段と、
前記条件記憶手段に記憶された複数のサイズ検知条件のうち一部のサイズ検知条件を含むサイズ検知テーブルを記憶するテーブル記憶手段と、
原稿を載置するためのプラテンガラスと、
前記プラテンガラスのうち、原稿が載置されている領域を検知する領域検知手段と、
前記テーブル記憶手段に記憶されたサイズ検知テーブルに含まれるサイズ検知条件のうち、前記領域検知手段により原稿が載置されていると検知された領域が満足するサイズ検知条件を特定するサイズ検知手段と、
前記条件記憶手段に記憶された複数のサイズ検知条件の各々を示す情報を表示する条件表示手段と、
前記条件表示手段に表示された情報から、１または複数のサイズ検知条件を選択する条件選択手段と、
前記条件選択手段により選択されたサイズ検知条件が含まれるように、前記テーブル記憶手段に記憶されたサイズ検知テーブルの内容を更新するテーブル更新手段と
を有する画像読み取り装置。
【請求項４】
前記条件記憶手段が、複数のサイズ検知条件と、前記複数のサイズ検知条件の各々について、そのサイズ検知条件と同時にサイズ検知テーブルに含まれることができない１または複数のサイズ検知条件を示す情報を対応付けて記憶し、
前記条件選択手段により選択されたサイズ検知条件と同時にサイズ検知テーブルに含まれることができない１または複数のサイズ検知条件を示す情報を、他のサイズ検知条件と区別可能な態様で表示する追加表示手段をさらに有し、
前記追加表示手段に表示された他のサイズ検知条件から、１または複数のサイズ検知条件を選択する追加選択手段をさらに有し、
前記テーブル更新手段が、前記条件選択手段により選択されたサイズ検知条件および前記追加選択手段により選択されたサイズ検知条件が含まれるように、前記テーブル記憶手段に記憶されたサイズ検知テーブルの内容を更新する
ことを特徴とする請求項３に記載の画像読み取り装置。
【発明の詳細な説明】
【技術分野】
【０００１】
本発明は、画像読み取り装置において原稿サイズを検知する技術に関する。
【背景技術】
【０００２】
スキャナ、コピー機、ファクシミリ機器などの画像読み取り装置は、種々のサイズの原稿を取り扱えるよう、原稿サイズの検知機能を備えたものが多い。現在、市場には多くのサイズの用紙が用いられている。これらの原稿サイズをすべて検知可能とするには、原稿サイズの検出領域を細分化する必要があるが、検出領域を細分化するとそれに伴って誤検知の確率が高くなるという問題があった。
【０００３】
このように従来の画像読み取り装置において、誤検知防止のために画像読み取り装置の市場ごとに検知できるサイズを制限する技術や、誤検知はあるが全ての原稿サイズを検知する技術が用いられている（例えば、特許文献１、２参照）。
【特許文献１】特開２００３−６３６６４号公報
【特許文献２】実開平１−１６０４３７号公報
【発明の開示】
【発明が解決しようとする課題】
【０００４】
結局、従来技術によれば、検知可能な原稿サイズを増やそうとすると誤検知の確率も増加してしまい、誤検知の確率を減らすために検知可能な原稿サイズを制限すると、ユーザが使用する原稿のサイズを検知することができないという問題があった。さらに後者の場合は、原稿サイズの手動入力等が必要となり、煩雑であるという問題があった。
【０００５】
本発明は上述の事情に鑑みてなされたものであり、多種の原稿サイズを検知でき、かつ、誤検知の確率が少ない画像読み取り装置を提供することを目的とする。
【課題を解決するための手段】
【０００６】
上述の課題を解決するため、本発明は、少なくとも一部が複数のグループに分類されたサイズ検知条件を記憶した条件記憶手段と、前記条件記憶手段に記憶されたサイズ検知条件のうち複数のサイズ検知条件を含むサイズ検知テーブルを記憶するテーブル記憶手段と、原稿を載置するためのプラテンガラスと、前記プラテンガラスのうち、原稿が載置されている領域を検知する領域検知手段と、前記テーブル記憶手段に記憶されたサイズ検知テーブルに含まれるサイズ検知条件のうち、前記領域検知手段により原稿が載置されていると検知された領域が満足するサイズ検知条件を特定するサイズ検知手段と、前記条件記憶手段に記憶された複数のグループの各々を示す情報を表示するグループ表示手段と、前記グループ表示手段に表示された情報から、１または複数のグループを選択するグループ選択手段と、前記グループ選択手段により選択されたグループに属するサイズ検知条件が含まれるように、前記テーブル記憶手段に記憶されたサイズ検知テーブルの内容を更新するテーブル更新手段とを有する画像読み取り装置を提供する。
この画像読み取り装置によれば、ユーザは自分の使用環境に応じたサイズ検知条件を選択することができ、また、サイズ検知条件は誤検知を生じないもの同士があらかじめグループ化されているので、誤検知を起こすことなく、多種の原稿サイズを検知できる。
【０００７】
好ましい態様において、この画像読み取り装置は、前記グループ選択手段により選択された１または複数のグループに属さないサイズ検知条件を示す情報を表示する追加表示手段と、前記追加表示手段に表示された情報から、１または複数のサイズ検知条件を選択する追加選択手段とをさらに有し、前記テーブル更新手段が、前記グループ選択手段により選択されたグループに属するサイズ検知条件および前記追加選択手段により選択されたサイズ検知条件が含まれるように、前記テーブル記憶手段に記憶されたサイズ検知テーブルの内容を更新してもよい。
【０００８】
また、本発明は、複数のサイズ検知条件を記憶した条件記憶手段と、前記条件記憶手段に記憶された複数のサイズ検知条件のうち一部のサイズ検知条件を含むサイズ検知テーブルを記憶するテーブル記憶手段と、原稿を載置するためのプラテンガラスと、前記プラテンガラスのうち、原稿が載置されている領域を検知する領域検知手段と、前記テーブル記憶手段に記憶されたサイズ検知テーブルに含まれるサイズ検知条件のうち、前記領域検知手段により原稿が載置されていると検知された領域が満足するサイズ検知条件を特定するサイズ検知手段と、前記条件記憶手段に記憶された複数のサイズ検知条件の各々を示す情報を表示する条件表示手段と、前記条件表示手段に表示された情報から、１または複数のサイズ検知条件を選択する条件選択手段と、前記条件選択手段により選択されたサイズ検知条件が含まれるように、前記テーブル記憶手段に記憶されたサイズ検知テーブルの内容を更新するテーブル更新手段とを有する画像読み取り装置を提供する。
【０００９】
好ましい態様において、この画像読み取り装置は、前記条件記憶手段が、複数のサイズ検知条件と、前記複数のサイズ検知条件の各々について、そのサイズ検知条件と同時にサイズ検知テーブルに含まれることができない１または複数のサイズ検知条件を示す情報を対応付けて記憶し、前記条件選択手段により選択されたサイズ検知条件と同時にサイズ検知テーブルに含まれることができない１または複数のサイズ検知条件を示す情報を、他のサイズ検知条件と区別可能な態様で表示する追加表示手段をさらに有し、前記追加表示手段に表示された他のサイズ検知条件から、１または複数のサイズ検知条件を選択する追加選択手段をさらに有し、前記テーブル更新手段が、前記条件選択手段により選択されたサイズ検知条件および前記追加選択手段により選択されたサイズ検知条件が含まれるように、前記テーブル記憶手段に記憶されたサイズ検知テーブルの内容を更新してもよい。
【発明を実施するための最良の形態】
【００１０】
以下、図面を参照して本発明の実施形態について説明する。
図１は、本発明の一実施形態に係る画像読み取り装置１の機能構成を示す図である。図１には、本実施形態の説明に必要な構成要素のみ示してある。画像読み取り装置１は、プラテンガラス１０上に載置された原稿を光学的に読み取り、原稿の画像を示すデータを生成する装置である。領域検知部２０は、プラテンガラス１０のうち、原稿が載置されている領域を検知する。領域検知部２０は、例えば、アレイ状あるいはマトリクス状に配置された光センサから構成される。ディスプレイ３０およびキーパッド４０は、ユーザインターフェースである。ディスプレイ３０は、例えばＬＣＤ（Liquid Crystal Display）パネルで構成され、処理状況等を示す情報を表示する。キーパッド４０は、例えばテンキーやディスプレイ３０上に設置されたタッチパネルで構成される。ユーザは、キーパッド４０を操作することにより画像読み取り装置１に対し入力指示を行うことができる。記憶部６０は、画像読み取り装置１の動作に必要なプログラムおよびデータを記憶する。本実施形態に関して、記憶部６０は特に、複数のサイズ検知条件（後述）からなるサイズ検知条件群ＣＳおよびサイズ検知テーブルＴＢ１を記憶している。記憶部６０は、例えば、ＨＤＤ（Hard Disk Drive）、ＲＯＭ（Read Only Memory）、ＲＡＭ（Random Access Memory）等から構成される。制御部５０は、以上で説明した各構成要素を制御する機能を有する。制御部５０は、例えば、ＣＰＵ（Central Processing Unit）から構成される。
【００１１】
図２（ａ）〜（ｃ）は、原稿サイズの特定方法を説明する図である。本実施形態においては、プラテンガラス１０の下部に、光センサからなる領域検知部２０がマトリクス状に配置されている。各光センサは、光の反射の差から、自分自身の上に原稿が載置されていると検出したときはその旨を示す検知信号を制御部５０に出力する。サイズ検知条件は、検知信号が出力された光センサの配置の組み合わせから、原稿サイズを特定する条件である。サイズ検知条件は例えば、検知信号が出力された光センサの配置が図２（ｂ）に示されるものであった場合は原稿サイズをＡ４と特定し、検知信号が出力された光センサの配置が図２（ｃ）に示されるものであった場合は原稿サイズをＡ３と特定するものである。画像読み取り装置１において、原稿サイズを特定する際に使用されるサイズ検知条件は、サイズ検知テーブルＴＢ１に含まれるサイズ検知条件のみである。サイズ検知テーブルＴＢ１に含まれないサイズ検知条件は使用されないので、画像読み取り装置１は、原稿サイズの誤検知を防止することができる。なお、光センサをマトリクス状に配置する代わりに、アレイ状に配置した光センサを走査する構成としてもよい。
【００１２】
図３は、サイズ検知テーブル候補を例示する図である。記憶部６０は、複数のサイズ検知テーブル候補をあらかじめ記憶している。サイズ検知テーブル候補は、それぞれ、複数のサイズ検知条件を含んでいる。図３に示される例では、サイズ検知テーブル候補Ａ〜Ｄはそれぞれ、以下のサイズ検知条件を含んでいる。
・候補Ａ：Ａ３Ｓ／Ａ４Ｌ／Ｂ４Ｓ／８．５×１１Ｌ／Ａ４Ｓ
・候補Ｂ：Ａ３Ｓ／Ａ４Ｌ／１１×１７Ｓ／８．５×１１Ｌ／Ａ４Ｓ
・候補Ｃ：Ａ３Ｓ／Ａ４Ｌ／１１×１７Ｓ／８×１０Ｌ／Ａ４Ｓ
・候補Ｄ：Ａ３Ｓ／Ａ４Ｌ／１１×１７Ｓ／８×１０Ｌ／８．５×１１Ｓ
【００１３】
記憶部６０は、さらに、これらのサイズ検知テーブル候補に属さないサイズ検知条件も記憶している。また、記憶部６０は、用紙サイズの誤検知を防ぐため、あるサイズ検知条件に、そのサイズ検知条件により検知される用紙サイズと似通ったサイズであるため誤検知の可能性があるサイズのサイズ検知条件を示す識別子を対応付けて記憶している。例えば、Ａ４Ｓと８．５×１１Ｓ（レターサイズ）は誤検知の可能性があるので、Ａ４Ｓのサイズ検知条件には８．５×１１Ｓを示す識別子が対応付けられている。
【００１４】
図４は、本実施形態に係る画像読み取り装置１の動作を示すフローチャートである。電源（図示略）を投入すると、画像読み取り装置１の制御部５０は、記憶部６０から制御プログラムを読み出して実行する。制御プログラムを実行すると、記憶部６０は、ディスプレイ３０に初期メニュー画面を表示する。初期メニュー画面には、サイズ検知テーブルＴＢ１の変更（更新）を示す項目が表示されている。初期メニュー画面を表示すると、制御部５０はユーザの入力待ち状態となる（ステップＳ１００）。
【００１５】
ユーザがキーパッド４０を操作することにより、サイズ検知テーブルＴＢ１の変更を指示する入力を行うと（ステップＳ１００：ＹＥＳ）、制御部５０は、ユーザに「簡易設定」あるいは「個別設定」を選択させるための選択画面をディスプレイ３０に表示する（ステップＳ１１０）。ユーザが簡易設定を選択すると処理はステップＳ１２０へ、個別設定を選択すると処理はステップＳ１６０へそれぞれ進む。
【００１６】
まず、簡易設定が選択された場合の動作について説明する。ステップＳ１２０において、制御部５０は複数のサイズ検知テーブル候補の中から任意のものをユーザに選択させるための選択画面をディスプレイ３０に表示する。例えば、制御部５０は、図４に示される情報を含んだ選択画面をディスプレイ３０に表示する。ユーザが一のサイズ検知テーブル候補を選択すると、制御部５０は、選択されたサイズ検知テーブル候補の識別子を記憶部６０に記憶する。
【００１７】
続いて、制御部５０は、さらなるサイズ検知条件の追加を行うか否かユーザに選択させる選択画面をディスプレイ３０に表示する（ステップＳ１３０）。ユーザが、サイズ検知条件の追加を行うという指示を入力した場合（ステップＳ１３０：ＹＥＳ）、制御部５０は、追加するサイズ検知条件の候補（「次候補」という）をユーザに選択させる選択画面をディスプレイ３０に表示する。ここで、次候補として表示されるのは、選択されたサイズ検知テーブル候補に含まれるサイズ検知条件と両立不可能であるとして識別子が対応付けられているサイズ検知条件以外のサイズ検知条件である。例えば、選択されたサイズ検知テーブル候補にＡ４Ｓのサイズ検知条件が含まれている場合、８．５×１１Ｓのサイズ検知条件は次候補とはならない。したがって、制御部５０は、８．５×１１Ｓのサイズ検知条件を示す情報をディスプレイ３０に表示しないか、あるいは、８．５×１１Ｓのサイズ検知条件が次候補ではないということを明示する態様（例えば、表示色を変える等）でディスプレイ３０に表示する。
【００１８】
ユーザは、選択画面を見てサイズ検知テーブルに追加するサイズ検知条件を選択する（ステップＳ１４０）。制御部５０は、選択されたサイズ検知条件を示す識別子を記憶部６０に記憶する。制御部５０は、さらなる次候補の追加を行うか否かユーザに選択させる選択画面をディスプレイ３０に表示する（ステップＳ１５０）。なお、この選択画面はステップＳ１３０の選択画面と同時に表示してもよい。ユーザが継ぎ候補の選択を終了する旨の指示を入力する（ステップＳ１５０：ＮＯ）、制御部５０は、ステップＳ１４０〜Ｓ１５０の処理を繰り返し実行する。
【００１９】
ステップＳ１３０あるいはステップＳ１５０において次候補の選択を終了する旨の指示が入力された場合（ステップＳ１３０：ＮＯあるいはＳ１５０：ＮＯ）、制御部５０は、サイズ検知テーブルＴＢ１の変更処理を終了する。すなわち、制御部５０は、現在のサイズ検知テーブルＴＢ１の内容を消去し、選択されたサイズ検知テーブル候補およびサイズ検知条件が含まれるようにサイズ検知テーブルＴＢ１の内容を更新する。
【００２０】
続いて、個別設定が選択された場合の動作について説明する。ステップＳ１６０において、制御部５０は、原稿サイズの一次候補をユーザに選択させる選択画面をディスプレイ３０に表示する。
【００２１】
図５は、ステップＳ１６０において表示される選択画面を例示する図である。制御部５０は、記憶部６０に記憶されているすべてのサイズ検知条件を示す情報をディスプレイ３０に表示する。このとき、誤検知の可能性があるとして識別子が対応付けられているサイズ検知条件は、それぞれ区別可能な態様で表示され。例えば、Ａ４Ｓと８．５×１１Ｓは誤検知の可能性があるので同じ色で表示される。同色で表示されたサイズ検知条件は、このうち一のサイズ検知条件が選択されると、他のサイズ検知条件は選択できないようになっている。すなわち、ユーザは誤検知の可能性があるサイズ検知条件を単一のサイズ検知テーブルＴＢ１に含めることはできない。
【００２２】
以下、前述のステップＳ１３０〜Ｓ１５０と同様に、ユーザが次候補の選択を終了する旨の指示を入力するまで、サイズ検知条件の選択が行われる（ステップＳ１７０〜Ｓ１９０）。ユーザが次候補の選択を終了する旨の指示を入力すると（ステップＳ１７０：ＮＯあるいはＳ１９０：ＮＯ）、制御部５０は、前述と同様にサイズ検知テーブルＴＢ１の内容を更新して処理を終了する。
【００２３】
以上で説明したように本発明によれば、多種の原稿サイズを検知でき、かつ、誤検知の確率が少ない画像読み取り装置を提供することができる。また、ユーザは自分の使用環境に適した原稿サイズを選択することができるので便利である。さらに、サイズ検知テーブルを画像読み取り装置の出荷市場に合わせて個別に開発する必要が無くなるため、開発工数の削減を行うことができる。
【００２４】
本発明は上述の実施形態に限定されるものではなく、種々の変形実施が可能である。ステップＳ１６０における一次候補の表示処理において、記憶部６０に記憶されているサイズ検知条件をすべて表示するのではなく、一部のサイズ検知条件のみを表示する構成としてもよい。これを実現するため、例えば、記憶部６０は一次候補用のサイズ検知条件（使用頻度の高いもの等）と、それ以外のサイズ検知条件とをあらかじめ分類して記憶していてもよい。同様にステップＳ１４０あるいはステップＳ１８０においても、例えば使用頻度に応じて、次候補として表示するサイズ検知条件をあらかじめ分類しておき（使用頻度高、中、低など）、この分類に従って次候補を順番に表示する構成としてもよい（例えば、１回目の次候補としては、使用頻度高のグループに属するものを、２回目、３回目の次候補としては使用頻度中、低のグループに属するものを表示する）。
【図面の簡単な説明】
【００２５】
【図１】本発明の一実施形態に係る画像読み取り装置１の機能構成を示す図である。
【図２】原稿サイズの特定方法を説明する図である。
【図３】サイズ検知テーブル候補を例示する図である。
【図４】画像読み取り装置１の動作を示すフローチャートである。
【図５】ステップＳ１６０において表示される選択画面を例示する図である。
【符号の説明】
【００２６】
ＴＢ１…サイズ検知テーブル、１…画像読み取り装置、、１０…プラテンガラス、２０…領域検知部、３０…ディスプレイ、４０…キーパッド、５０…制御部、６０…記憶部
【図１】
2007088566.tif 000003
【図２】
2007088566.tif 000004
【図３】
2007088566.tif 000005
【図４】
2007088566.tif 000006
【図５】
2007088566.tif 000007